(57)【要約】開示された技術は、潤滑粘度の油、少なくとも１種のホウ酸エステル、および少なくとも１種のリン含有化合物を含有する、ハイブリッド電気自動車の自動変速機で使用するための潤滑剤組成物に関する。開示された技術は、４０℃で８ｃＳｔ〜１８ｃＳｔの動粘度を有する潤滑剤組成物を提供し、潤滑剤組成物は、潤滑粘度の油、０．３〜２．０重量％の少なくとも１個のホウ酸エステル、および１００〜４５０ｐｐｍのリンを潤滑組成物に送達する量で存在する少なくとも１個のリン含有化合物を含む。【特許請求の範囲】
【請求項１】
電動機を備えた自動車の変速機を潤滑するための潤滑剤組成物であって、
ａ．潤滑粘度の油と、
ｂ．０．２〜２．０重量％の式Ｉの少なくとも１種のホウ酸エステルと、
【化１】
2020531618.tif 000016
（式中、各Ｒは、独立して、Ｃ３〜Ｃ１２アルキルである）、
ｃ．１００〜４５０ｐｐｍのリンを前記潤滑組成物に送達する量で存在する、モノマー亜リン酸またはそのエステルと少なくとも２種のアルキレンジオールとの反応生成物を含むホスファイトエステル組成物を含む少なくとも１種のリン含有化合物と、
ｄ．１．８重量％以下の総量で、１００ｐｐｍ未満のホウ素を前記潤滑剤組成物に送達する分散剤と、
ｅ．３００ｐｐｍ以下のカルシウムを前記潤滑組成物に送達する量で存在するカルシウム含有スルホネートもしくはサリチレート洗剤またはそれらの混合物と、を含み、
前記潤滑剤組成物が、４０℃で８ｃＳｔ〜１８ｃＳｔの動粘度を有し、
（ｃ）の前記ホスファイトエステルからのリンと（ｂ）の前記ホウ酸エステルからの前記ホウ素との比が、０．７超である、潤滑剤組成物。
【請求項２】
前記リン含有化合物が、さらにＣ３−８ヒドロカルビルホスファイトを含む、請求項１に記載の潤滑剤組成物。
【請求項３】
（１）ポリオールと、２）約１２〜約２４個の炭素原子を含有する脂肪族カルボン酸とのエステル０．０１〜１．０重量％をさらに含む、請求項１または２に記載の潤滑剤組成物。
【請求項４】
前記エステルが、グリセロールモノオレエートである、請求項１〜３のいずれか一項に記載の潤滑剤組成物。
【請求項５】
（１）アルコールと、２）約４〜約８個の炭素原子を含有する脂肪族カルボン酸とのエステル０．１〜３．０重量％をさらに含む、請求項１〜４のいずれか一項に記載の潤滑剤組成物。
【請求項６】
前記エステルが、Ｃ８−１３アジペートエステルである、請求項１〜５のいずれか一項に記載の潤滑剤組成物。
【請求項７】
０．０１重量％〜０．５重量％のジメルカプトチアジアゾールまたはその誘導体をさらに含む、請求項１〜６のいずれか一項に記載の潤滑剤組成物。
【請求項８】
０．１重量％〜５重量％のポリ（メタ）アクリレートエステルポリマー粘度調整剤をさらに含む、請求項１〜７のいずれか一項に記載の潤滑剤組成物。
【請求項９】
前記ポリ（メタ）アクリレートエステルポリマーが、５，０００〜２５，０００の重量平均分子量を有する、請求項８に記載の潤滑剤組成物。
【請求項１０】
０．０５重量％〜１．０重量％のＣ１２〜Ｃ２４ヒドロカルビルホスファイトをさらに含む、請求項１〜９のいずれか一項に記載の潤滑剤組成物。
【請求項１１】
０．０１重量％〜１．０重量％のＣ１２−２４ホウ酸化エポキシドをさらに含む、請求項１〜１０のいずれか一項に記載の潤滑剤組成物。
【請求項１２】
ヒンダードフェノール、アリールアミン、および硫黄含有酸化防止剤から選択される少なくとも２種の酸化防止剤の混合物０．１重量％〜３．０重量％をさらに含む、請求項１〜１１のいずれか一項に記載の潤滑剤組成物。
【請求項１３】
前記潤滑剤組成物が、１００℃および５００ＶでＡＳＴＭ  Ｄ２６２４によって測定される場合、最大７．０×１０−１０Ｓ／ｃｍの導電率を示す、請求項１〜１のいずれか一項に記載の潤滑剤組成物。
【請求項１４】
変速機を潤滑させる方法であって、請求項１〜１のいずれか一項に記載の組成物を前記自動変速機に供給して、前記変速機を作動させることを含む、方法。
【請求項１５】
前記変速機が、変速クラッチを含まない、請求項１４に記載の方法。
【発明の詳細な説明】
【技術分野】
【０００１】
開示された技術は、潤滑粘度の油、少なくとも１種のホウ酸エステル、および少なくとも１種のリン含有化合物を含有する、ハイブリッド電気自動車の自動変速機で使用するための潤滑剤組成物に関する。
【背景技術】
【０００２】
ドライブライン変速機、特に自動変速機液（ＡＴＦ）は、現代の自動変速機（様々なタイプの連続可変変速機を含む）の複数の、多くの場合矛盾する潤滑および動力伝達要件を満たすための非常に挑戦的な技術的問題および解決策を提示する。典型的には、潤滑、分散性、摩擦制御（クラッチ用）、耐摩耗耐久性（例えば、ギア摩耗）およびポンプ耐久性、燃費、シャダー防止性能、腐食、ならびに酸化防止性能などの性能特性を提供する多くの添加剤成分がＡＴＦに含まれている。しかしながら、使用期間が経過すると、添加剤成分が消費され、変速機に悪影響を与える場合がある。
【０００３】
通常の問題に加えて、一般に自動変速機である電気自動車における変速機には、独特の一連の問題がある。例えば、電気自動車における変速機用の潤滑剤は、電動機の部品などの自動車の電気部品と接触する可能性がある。したがって、そのような潤滑剤に望ましい属性の１つは、特に潤滑油の老化としての潜在的な電流漏れおよびケース抵抗を回避するための比較的低い導電率である。しかしながら、潤滑剤は、依然として、例えば、分散性、清浄度、耐摩耗性、および防食性を含む適切な潤滑を提供する必要がある。同様に、自動車の効率を改善するために、そのような自動車の低粘度流体を維持することが望ましい。したがって、これらのしばしば競合する結果を達成するために、新しい変速機液が必要である。
【発明の概要】
【課題を解決するための手段】
【０００４】
開示された技術は、４０℃で８ｃＳｔ〜１８ｃＳｔの動粘度を有する潤滑剤組成物を提供し、潤滑剤組成物は、潤滑粘度の油、０．３〜２．０重量％の少なくとも１種のホウ酸エステル、および１００〜４５０ｐｐｍのリンを潤滑組成物に送達する量で存在する少なくとも１種のリン含有化合物を含む。
【０００５】
実施形態では、ホウ酸エステルは式Ｉの化合物であり得、
【化１】
2020531618.tif 000002
式中、各Ｒは、独立して、Ｃ３〜Ｃ１２アルキルである。
【０００６】
いくつかの実施形態では、リン含有化合物は、（１）Ｃ３−８ヒドロカルビルホスファイト、（２）モノマー亜リン酸もしくはそのエステルと少なくとも２個のアルキレンジオールとの反応生成物を含むホスファイトエステル組成物、または（３）（１）と（２）との混合物のうちの少なくとも１個を含むことができる。
【０００７】
実施形態では、潤滑剤組成物は、（１）ポリオールと、２）約１２〜約２４個の炭素原子を含有する脂肪族カルボン酸、例えばグリセロールモノオレエートなどとの０．０１〜１．０重量％のエステルをさらに含むことができる。
【０００８】
さらなる実施形態では、潤滑剤組成物はまた、（１）アルコールと、２）約４〜約８個の炭素原子を含有する脂肪族カルボン酸、例えばアジペートエステルなどとの０．１〜３．０重量％のエステルを含むことができる。
【０００９】
なお、さらなる実施形態では、潤滑剤組成物は、０．０１重量％〜０．５重量％のジメルカプトチアジアゾールまたはその誘導体を含有することができる。
【００１０】
潤滑剤組成物はまた、０．１重量％〜５重量％のポリ（メタ）アクリレートエステルポリマー粘度調整剤を含有することができる。
【００１１】
別の実施形態では、組成物は、１重量％以下の分散剤の総量を含有することができる。
【００１２】
いくつかの実施形態では、潤滑剤組成物は、さらに、０．０５重量％〜１．０重量％のＣ１２〜Ｃ２４ヒドロカルビルホスファイトを含むことができる。
【００１３】
潤滑剤組成物はまた、０．０１重量％〜１．０重量％のＣ１２−２４ホウ酸化エポキシドを含むことができる。
【００１４】
潤滑剤組成物はまた、ヒンダードフェノール、アリールアミン、および硫黄含有酸化防止剤から選択される少なくとも２種の酸化防止剤の混合物０．１重量％〜３．０重量％を含むことができる。
【００１５】
潤滑剤組成物は、潤滑剤組成物を自動変速機に供給し、自動変速機を作動させることにより、自動変速機を潤滑する方法に用いることができる。
【発明を実施するための形態】
【００１６】
様々な好ましい特徴および実施形態が、非限定的な例示として以下に説明される。
【００１７】
本技術の一態様は、潤滑剤組成物である。潤滑剤組成物は、ハイブリッド電気自動車用の自動変速機で潤滑を提供するために用いることができる。組成物は、とりわけ、潤滑粘度の油、少なくとも１種のホウ酸エステル、および潤滑組成物に１００〜４５０ｐｐｍのリンを送達するのに十分な量の少なくとも１種のリン含有化合物を含むことができる。
【００１８】
潤滑粘度の油
潤滑粘度の油は、Ａｍｅｒｉｃａｎ  Ｐｅｔｒｏｌｅｕｍ  Ｉｎｓｔｉｔｕｔｅ（ＡＰＩ）Ｂａｓｅ  Ｏｉｌ  Ｉｎｔｅｒｃｈａｎｇｅａｂｉｌｉｔｙ  Ｇｕｉｄｅｌｉｎｅｓで規定されているように定義され得る。５個の基油グループは、以下のとおりである：グループＩ（硫黄含有量０．０３重量％超、および／または９０重量％未満の飽和、粘度指数８０〜１２０）、グループＩＩ（硫黄含有量０．０３重量％以下、および９０重量％以上の飽和、粘度指数８０〜１２０）、グループＩＩＩ（硫黄含有量０．０３重量％以下、および９０重量％以上の飽和、粘度指数１２０以上）、グループＩＶ（すべてのポリアルファオレフィン（ＰＡＯ））、ならびにグループＶ（グループＩ、ＩＩ、ＩＩＩ、もしくはＩＶに含まれないすべてのその他）。潤滑粘度の油は、例えば、ＡＰＩグループＩ、グループＩＩ、グループＩＩＩ、グループＩＶ、グループＶの油、またはそれらの混合物を含むことができる。
【００１９】
多くの場合、潤滑粘度の油は、ＡＰＩグループＩ、グループＩＩ、グループＩＩＩ、グループＩＶの油、またはそれらの混合物である。あるいは、潤滑粘度の油は、ＡＰＩグループＩＩ、グループＩＩＩもしくはグループＩＶの油、またはそれらの混合物であり得る。
【００２０】
一実施形態では、潤滑粘度の油は、フィッシャー・トロプシュのガス液化の合成手順、および他のガス液化油により調製され得る。
【００２１】
一実施形態では、潤滑粘度の油は、ＡＰＩグループＩＶの油であり得る。グループＩＶの油の量は、潤滑組成物の０重量％〜２０重量％、または０．１重量％〜２０重量％、または１重量％〜１５重量％、または５〜１０重量％であり得る。
【００２２】
存在する潤滑粘度の油の量は、典型的には、本発明の性能添加剤の量の合計を１００重量％から差し引いた後に残る残部である。
【００２３】
潤滑組成物は、濃縮物および／または完全に配合された潤滑剤の形態であり得る。本発明の性能添加剤が濃縮物の形態である場合（追加の油と組み合わせて全体または一部が完成潤滑剤を形成し得る）、性能添加剤と潤滑粘度の油および／または希釈油との比は、重量で１：９９〜９９：１、または重量で８０：２０〜１０：９０の範囲を含む。
【００２４】
ホウ素含有化合物
潤滑剤組成物は、潤滑剤組成物に対して約７５ｐｐｍ〜約５００ｐｐｍのホウ素、または潤滑剤組成物に対して約８５〜約４５０ｐｐｍもしくは約９５〜約３５０ｐｐｍのホウ素、または約１００〜約４００ｐｐｍのホウ素を提供するのに十分な量のホウ素含有化合物を含有することができる。
【００２５】
ホウ素は、多くの種類のホウ素含有化合物によって送達できる。
【００２６】
ホウ素含有化合物は、ホウ素源で後処理された分散剤であり得る。そのような分散剤は、一般に、カルボキシル基を有するもの（例えば、スクシンイミド）、アミン、またはマンニッヒ分散剤を、ホウ酸などのホウ素化合物試薬と反応させることにより得られる（「ホウ酸化分散剤」を得る）。分散剤およびその製造方法は、当技術分野で周知である。ホウ酸化分散剤は、硫黄またはリン部分でさらに官能化され得る。ホウ酸化分散剤中の分散剤成分は、異なる種類であり得る複数の分散剤の混合物であり得、任意に、少なくとも１種はスクシンイミド分散剤であり得る。一実施形態では、ホウ酸化分散剤は、ホウ酸化ポリイソブチレンスクシンイミド分散剤であり得、そのポリイソブチレン部分は、７５０〜２２００、または７５０〜１３５０、または７５０〜１１５０の数平均分子量を有し得る。ホウ酸化分散剤（複数可）は、０．９：１〜１．６：１、または０．９５：１〜１．５：１、または１：１〜１．４：１のＮ：ＣＯ比を有するような方法で調製され得る。組成物中のホウ酸化分散剤の量は、例えば、０．０５〜２．０重量パーセントであり得る。他の実施形態では、その量は、最終ブレンド流体配合物の０．１〜１．０パーセントまたは０．１５〜０．７５パーセントである。濃縮物では、その量は比例して高くなる。
【００２７】
ホウ素含有化合物は、例えば、ホウ酸化脂肪エポキシド、ホウ酸化グリセロールエステル、およびホウ酸化アルコキシル化脂肪アミンなどのホウ素含有摩擦調整剤を含むことができる。
【００２８】
ホウ素含有化合物は、ホウ酸化洗剤も含むことができる。ホウ酸化洗剤は、例えば、米国特許第５，４０３，５０１号および同第４，７９２，４１０号に記載されている過塩基性ホウ酸化材料を含むことができる。
【００２９】
ホウ素含有化合物は、ホウ酸エステルも含むことができる。ホウ酸エステルは、以下の式のうちの１種以上で表される化合物であり得る：
【化２】
2020531618.tif 000003
式中、各Ｒは、独立して、ヒドロカルビル基であり得、その用語は本明細書で定義されており、任意の２個の隣接するＲ基は、一緒になって環状基を形成し得る。上記のうちの２種以上の混合物を使用し得る。各式におけるＲ基中の炭素原子の総数は、化合物を潤滑粘度の油に可溶性にするのに十分でなければならない。一般に、Ｒ基中の炭素原子の総数は、少なくとも約３個であり、一実施形態では少なくとも約５個、一実施形態では少なくとも約８個である。必要なＲ基中の炭素原子の総数に制限はないが、実用的な上限は、約４００または約５００個の炭素原子である。
【００３０】
実施形態では、各Ｒは、独立して、１〜１４個、または２〜１３個、またはさらに３〜１０もしくは１２個の炭素原子を含有するヒドロカルビル基であり得るが、ただしすべてのＲ中の炭素原子の合計総数は、３個以上、好ましくは４個以上、さらにより好ましくは６個以上である。いくつかの実施形態では、各Ｒは、独立して、Ｃ３〜Ｃ２２、またはＣ３〜Ｃ１８、またはＣ３〜Ｃ１２アルキルであり得る。有用なＲ基の例には、イソプロピル、ｎ−ブチル、イソブチル、アミル、４−メチル−２−ペンチル、２−エチル−１−ヘキシル、イソオクチル、デシル、ドデシル、２−プロピルヘプチル、テトラデシル、２−ペンテニル、ドデセニル、フェニル、ナフチル、アルキルフェニルなどが含まれる。
【００３１】
ホウ酸エステルの好適な例には、例えば、ホウ酸トリプロピル、ホウ酸トリブチル、ホウ酸トリペンチル、ホウ酸トリヘキシル、ホウ酸トリヘプチル、ホウ酸トリオクチル、ホウ酸トリノニル、およびホウ酸トリデシルが含まれる。他のホウ酸エステルの例には、例えば、式Ｉの化合物が含まれ、式中、各Ｒは、独立して、例えば、ホウ酸トリ−２−エチルヘキシル、ホウ酸トリス（２−プロピルヘプチル）、およびそれらの混合物などのＣ３〜Ｃ２２、またはＣ３〜Ｃ１８、またはＣ３〜Ｃ１２アルキルである。実施形態では、ホウ酸エステルは、Ｃ８ホウ酸エステル、またはＣ１０ホウ酸エステルであり得る。一実施形態では、ホウ酸エステルは、ホウ酸トリス（２−プロピルヘプチル）であり得る。いくつかの実施形態では、ホウ酸エステルは、ホウ酸トリ−２−エチルヘキシルであり得る。
【００３２】
一実施形態では、ホウ酸化エステルは、式Ｂ（ＯＣ５Ｈ１１）３またはＢ（ＯＣ４Ｈ９）３で表すことができる。一実施形態では、ホウ酸エステルは、ホウ酸トリ−ｎ−ブチルであり得る。
【００３３】
一実施形態では、ホウ酸エステルは、以下の式で表されるフェノール化合物であり得、
【化３】
2020531618.tif 000004
式中、式ＶＩＩにおいて：Ｒ１、Ｒ２、Ｒ３、およびＲ４は、独立して、１〜約１２個の炭素原子のヒドロカルビル基であり、Ｒ５およびＲ６は、独立して、１〜約６個の炭素原子、一実施態様では約２〜約４個の炭素原子、一実施態様では約２または約３個の炭素原子のアルキレン基である。一実施形態では、Ｒ１およびＲ２は、独立して、１〜約６個の炭素原子を含有し、一実施形態ではそれぞれがｔ−ブチル基である。一実施形態では、Ｒ３およびＲ４は、独立して、約２〜約１２個の炭素原子、一実施形態では約８〜約１０個の炭素原子のヒドロカルビル基である。一実施形態では、Ｒ５およびＲ６は、独立して、−ＣＨ２ＣＨ２−または−ＣＨ２ＣＨ２ＣＨ２−である。
【００３４】
一実施形態では、ホウ酸エステルは、以下の式で表される化合物であり得る：
【化４】
2020531618.tif 000005
式中、式ＩＸにおいて、各Ｒは、独立して、水素またはヒドロカルビル基である。ヒドロカルビル基のそれぞれは、１〜約１２個の炭素原子、一実施態様では１〜約４個の炭素原子を含有し得る。例は、２，２´−オキシ−ビス−（４，４，６−チメチル−１，３，２−ジオキサボリナン）である。
【００３５】
ホウ酸エステルは、潤滑剤組成物の重量に基づいて、約０．２もしくは０．３〜約２．０重量％、またはある場合には約０．３５〜２．０重量％、一実施態様では約０．２５〜約約１．０重量％、一実施形態では約０．２５〜約０．７５重量％で潤滑剤組成物に用いられ得る。
【００３６】
リン含有化合物
潤滑剤組成物は、少なくとも１種のリン含有化合物を含有する。リン含有化合物は、酸、塩、またはエステルであり得る。一実施形態では、リン含有化合物は、２もしくは３種、または２〜４種（典型的には２もしくは３種）のリン含有化合物の混合物の形態である。
【００３７】
いくつかの実施形態では、リン含有化合物はホスファイトである。好適なホスファイトには、３もしくは４個以上、または８個以上、または１２個以上の炭素原子を有する少なくとも１個のヒドロカルビル基を有するものが含まれる。ホスファイトは、モノヒドロカルビル置換ホスファイト、ジヒドロカルビル置換ホスファイト、またはトリヒドロカルビル置換ホスファイトであり得る。
【００３８】
一実施形態では、ホスファイトは硫黄を含まない、すなわち、ホスファイトはチオホスファイトではない。
【００３９】
ホスファイトは、以下の式で表され得る：
【化５】
2020531618.tif 000006
式中、少なくとも１個のＲは、少なくとも３個の炭素原子を含有するヒドロカルビル基であり得、他のＲ基は水素であり得る。一実施形態では、Ｒ基のうちの２個はヒドロカルビル基であり、３番目は水素である。一実施形態では、各Ｒ基はヒドロカルビル基であり、すなわち、ホスファイトはトリヒドロカルビル置換ホスファイトである。ヒドロカルビル基は、アルキル、シクロアルキル、アリール、非環式、またはそれらの混合物であり得る。
【００４０】
Ｒヒドロカルビル基は、線状または分岐、典型的には線状、および飽和または不飽和、典型的には飽和であり得る。
【００４１】
一実施形態では、リン含有化合物は、Ｃ３−８ヒドロカルビルホスファイト、またはその混合物であり得、すなわち、各Ｒは、独立して、水素または３〜８個もしくは４〜６個、典型的には４個の炭素原子を有するヒドロカルビル基であり得る。典型的には、Ｃ３−８ヒドロカルビルホスファイトは、ジブチルホスファイトを含む。Ｃ３−８ヒドロカルビルホスファイトは、リン含有化合物によって送達されるリンの総量の少なくとも１７５ｐｐｍ、または少なくとも２００ｐｐｍを送達し得る。Ｃ３−８ヒドロカルビルホスファイトは、リン含有化合物からのリンの総量の少なくとも４５重量％、または５０重量％〜１００重量％、または５０重量％〜９０重量％、または６０重量％〜８０重量％を送達し得る。
【００４２】
一実施形態では、リン含有化合物は、Ｃ１２−２２ヒドロカルビルホスファイト、またはその混合物であり得、すなわち、各Ｒは、独立して、水素または１２〜２４個もしくは１４〜２０個、典型的には１６〜１８個の炭素原子を有するヒドロカルビル基であり得る。典型的には、Ｃ１２−２２ヒドロカルビルホスファイトは、Ｃ１６−１８ヒドロカルビルホスファイトを含む。Ｒ３、Ｒ４、およびＲ５のアルキル基の例には、オクチル、２−エチルヘキシル、ノニル、デシル、ウンデシル、ドデシル、トリデシル、テトラデシル、ペンタデシル、ヘキサデシル、ヘプタデシル、オクタデシル、オクタデセニル、ノナデシル、エイコシル、またはそれらの混合物が含まれる。Ｃ１２−２２ヒドロカルビルホスファイトは、潤滑剤組成物の約０．０５重量％〜約１．０重量％、または潤滑剤組成物の約０．１重量％〜約０．５重量％で潤滑剤組成物中に存在し得る。
【００４３】
いくつかの実施形態では、リン含有化合物は、Ｃ３−８およびＣ１２〜Ｃ２４ヒドロカルビルホスファイトの両方を含むことができる。
【００４４】
リン含有化合物は、モノマー亜リン酸またはそのエステルと少なくとも２種のアルキレンジオールとの反応生成物、例えば縮合生成物であるホスファイトエステル組成物であり得る。実施形態では、前述のホスファイトエステルは、亜鉛を含有しない。
【００４５】
「モノマー」亜リン酸またはエステルとは、典型的には１個のリン原子を含有する亜リン酸またはエステルを意味し、これは、オリゴマー、ポリマー、または他の縮合種を形成するためにジオールと反応し得る。モノマー亜リン酸またはそのエステルは、亜リン酸自体（Ｈ３ＰＯ３）であり得るが、取り扱いの容易さまたは他の理由から、ジアルキルホスファイトなどのモノマー部分エステルが使用され得る。アルキル基（複数可）は、メチル、エチル、プロピル、またはブチルなどの１〜６個または１〜４個の炭素原子の比較的低分子量の基であり得、それにより、アルキレンジオールとの反応時に生成されるアルコールは、容易に除去され得る。例示的なホスファイトエステルは、ジメチルホスファイトであり、他には、ジエチルホスファイト、ジプロピルホスファイト、およびジブチルホスファイトが含まれる。硫黄含有類似体も用いられ得る（例えば、チオホスファイト）。他のエステルには、トリアルキルホスファイトが含まれる。ジアルキルホスファイトとトリアルキルホスファイトとの混合物も有用であり得る。これらの材料において、アルキル基は、同じまたは異なっていてもよく、それぞれ独立して、典型的に上記のように１〜６個または１〜４個の炭素原子を有する。
【００４６】
モノマーのリン酸またはエステルは、少なくとも２種のアルキレンジオールと反応または縮合して、リン含有化合物を形成し、これには、ポリマー（またはオリゴマー）リンエステルおよび任意のモノマー種が含まれる。第１のアルキレンジオール（ｉ）は、１，４−アルキレンジオールまたは１，５−アルキレンジオールまたは１，６−アルキレンジオールである。つまり、それぞれ４、５、または６個の炭素原子の鎖で分離された、互いに１，４または１，５または１，６の関係にある２個のヒドロキシ基が存在する。第１のヒドロキシ基は、文字通り１個の炭素原子上、すなわち、ジオールのα炭素上にあってもよく、またはそれは、より高い番号の炭素原子上にあってもよい。例えば、ジオールはまた、当業者には明らかであるように、２，５−ジオールもしくは２，６−ジオールもしくは２，７−ジオール、または３，６−ジオールもしくは３，７−ジオールもしくは３，８−ジオールであり得る。アルキレンジオールは、分岐（例えば、アルキル置換）または非分岐であり得、一実施形態では非分岐である。非分岐、すなわち、線状ジオール（α，ω−ジオール）には、１，４−ブタンジオール、１，５−ペンタンジオール、および１，６−ヘキサンジオールが含まれる。分岐または置換ジオールには、１，４−ペンタンジオール、２−メチル−１，５−ペンタンジオール、３−メチル−１，５−ペンタンジオール、３，３−ジメチル−１，５−ペンタンジオール、１，５−ヘキサンジオール、２，５−ヘキサンジオール、および２，５−ジメチル−２，５−ヘキサンジオールが含まれる。炭素鎖自体が線状であっても、１個以上の二次ヒドロキシ基を有するジオール（２，５−ヘキサンジオールなど）は、分岐または置換ジオールと呼ばれ得る。１，４位、１，５位、または１，６位（すなわち、互いに対する位置または文字通りの位置）におけるヒドロキシ基の場所は、周期構造の形成（立体的に好ましくない）ではなく、リン種とのオリゴマー化を促進するのに役立ち得る。特定の実施形態では、第１のアルキレンジオールは、１，６−ヘキサンジオールであり得る。
【００４７】
第１のアルキレンジヒドロキシ化合物（ジオール）は、必要に応じて、追加のヒドロキシ基、すなわち分子あたり２個超、または正確に２個存在し得る。一実施形態では、１分子あたり正確に２個のヒドロキシ基が存在する。ヒドロキシ基が２個を超える場合、ヒドロキシ基のいずれかを隔てる原子が４個未満である場合、重合反応を妨げることがあるような過剰な環化が確実に存在しないように注意する必要がある。また、望ましくないゲルの形成につながる可能性のある生成物での過度の分岐または架橋を避けるように注意する必要がある。そのような問題は、試薬の比およびその添加順序の制御、好適な希釈条件下での反応の実行、ならびに低酸条件下での反応などの反応条件の注意深い制御によって回避され得る。これらの条件は、日常的な実験のみで当業者によって決定される。
【００４８】
亜リン酸またはエステルは、第２のアルキレンジオール（ｉｉ）とも反応する。第２のアルキレンジオールは、そのアルキル置換基のうちの１個以上がプロピレン単位の炭素原子のうちの１個以上の上にあるアルキル置換１，３−プロピレンジオールであり、アルキル置換１，３−プロピレンジオールの炭素原子の総数は、５〜１２個もしくは６〜１２個もしくは７〜１１個もしくは８〜１８個、または特定の実施形態では９個である。すなわち、アルキル置換１，３−プロピレンジオールは、以下の一般式で表され得、
【化６】
2020531618.tif 000007
式中、様々なＲ基は、同じであっても異なっていてもよく、水素またはアルキル基であってもよいが、ただし、少なくとも１個のＲが、アルキル基であり、Ｒ基中の炭素原子の総数が、２〜９個または３〜９個であるという条件であり、これにより、ジオール中の総炭素原子は、それぞれ５〜１２個または６〜１２個であり、他の範囲の総炭素についても同様である。上記の１，４−ジオール、１，５−ジオール、または１，６−ジオールと同様に、ここでの１，３−ジオールへの言及は、２個のヒドロキシ基が、互いに１，３の関係にあること、すなわち、３個の炭素原子の鎖で分離されることを意味する。したがって、１，３−ジオールは、２，４−ジオールまたは３，５−ジオールとも呼ばれ得る。１，３−ジオールが１個以上の第二級ヒドロキシ基を有する場合、そのような分子は置換ジオールとみなされる。一実施形態では、アルキル置換基の数は２個であり、分子中の炭素原子の総数は９個である。好適な置換基には、例えば、メチル、エチル、プロピル、およびブチル（それらの様々な可能な異性体において）が含まれ得る。
【００４９】
第２のアルキレンジオールの例には、２，２−ジメチル−１，３−プロパンジオール、２−エチル−２−ブチルプロパン−１，３−ジオール、２−エチルヘキサン−１，３−ジオール、２，２−ジブチルプロパン−１，３−ジオール、２，２−ジイソブチルプロパン−１，３−ジオール、２−メチル−２−プロピルプロパン−１，３−ジオール、２−プロピル−プロパン−１，３−ジオール、２−ブチルプロパン−１，３−ジオール、２−ペンチルプロパン−１，３−ジオール、２−メチル−２−プロピルプロパン−１，３−ジオール、２，２−ジエチルプロパン−１，３−ジオール、２，２，４−トリメチルペンタン−１，３−ジオール、２−メチルペンタン−２，４−ジオール、２，４−ジメチル−２，４−ペンタンジオール、および２，４−ヘキサンジオールが含まれ得る。前述の命名法のいくつかが、明確にするために、分子のプロパン−１，３−ジオール構造を強調していることに注意すべきである。例えば、２−ペンチルプロパン−１，３−ジオールは、２−ヒドロキシメチルヘプタン−１−オールと呼ばれることもあるが、後者の命名法は、ジオールの１，３−性質をあまり明確に示していない。
【００５０】
第１のアルキレンジオール（ｉ）と第２のアルキレンジオール（ｉｉ）との相対モル量は、３０：７０〜６５：３５、あるいは３５：６５〜６０：４０または４０：６０〜５０：５０または４０：６０〜４５：５５の比であり得る。比が約３０：７０未満の場合、得られる生成物は、開示された技術の利点を十分に発揮しない場合があり、それが約６５：３５超の場合、潤滑剤配合物中の他の成分とのその適合性が低下する場合がある。
【００５１】
モノマーの亜リン酸またはそのエステル（ａ）とアルキレンジオールの総モル量（ｂ）との相対モル量は、０．９：１．１〜１．１：０．９、または０．９５：１．０５〜１．０５：０．９５、または０．９８：１．０２〜１．０２：０．９８、または約１：１の比であり得る。ほぼ等モル比での反応は、オリゴマーの形成またはポリマー形成を助長する傾向がある。正確な１：１の比は、理論的には非常に長い鎖の形成につながり、その結果、非常に高い分子量になる。しかしながら、実際には、競合する反応および反応の不完全さがより低い重合度の材料を提供し、材料の特定の部分が環状モノマーの形態になるため、これは、典型的には達成されない。
【００５２】
反応生成物は、典型的には、いくつかのオリゴマーまたはポリマー種および環状モノマー種を含む個々の種の混合物を含む。環状モノマー種は、１，３−ジオールがオリゴマー化または環状エステル形成のいずれかに関与することができるため、主に１，３−ジオール（ｉｉ）から誘導される１個のリン原子および１個のアルキレン基を含み得る。オリゴマーまたはポリマー種は、典型的には、ジオール（ｉ）および（ｉｉ）から誘導されるアルキレン基によって一緒に結合された２または３個〜２０個のリン原子、あるいは５〜１０個のリン原子を含み得、１，４−ジオール、１，５−ジオール、または１，６−ジオールの組み込みに対して比較的優先を示し得、これらは、リンと環化して環状モノマー種を形成するのが容易ではない。
【００５３】
生成物は、以下に示す構造で表され得る種の混合物であり得る：
【化７】
2020531618.tif 000008
（オリゴマ一種）
および
【化８】
2020531618.tif 000009
式中、ｘおよびｙは、オリゴマーに組み込まれた２種のジオールの相対量を表す。示される構造は、様々なジオール反応物の利用可能性に影響されるか、または依存するため、ｘおよびｙ括弧で表される構造が多かれ少なかれランダムに分布し得るため、ポリマーが必然的にブロックポリマーであることを示すことを意図したものではない。各Ｘは、独立して、例えばアルキル基（メチルなど）、または水素もしくはＯＨ基で終結することがあるジオール誘導部分であり得る終結基である。上記のスキームでは、例示のみを目的として、ジエン（ｉ）は、１，６−ヘキサンジオールであるように選択され、ジエン（ｉｉ）は、２−ブチル−２−エチル−１，３−プロパンジオールであるように選択される。異なるジオール（ｉ）および（ｉｉ）を使用して、対応する構造および混合物が形成される。
【００５４】
反応混合物中のオリゴマー種と環状モノマー種との相対量は、ある程度、選択された特定のジオールおよび反応条件に依存する。上記の構造のように、１，６−ヘキサンジオールと２−ブチル−２−エチル−１，３−プロパンジオールとから調製された反応生成物の場合、オリゴマー生成物の量は、おおよそ以下の表に示すとおりであり得る：
【表１】
2020531618.tif 000010
また、環状モノマーの量は、１００％からオリゴマーの割合を引いたものであり得る。また、用いられる特定のジオールに関係なく、オリゴマーと環状モノマーとの上記の重量割合を有する混合物が有用に調製され得る。特定の実施形態では、生成物の５５〜６０重量パーセントは、オリゴマー形態であり、４５〜４０パーセントは、環状モノマー形態である。いくつかの実施形態では、オリゴマー種の量に対する環状モノマー種の相対量は、重量で１：３〜１：１、あるいは１：３〜１：０．８である。
【００５５】
リン酸またはエステルとジオールとの間の縮合反応は、試薬を混合し、反応が実質的に完了するまで加熱することにより達成され得る。典型的には、第１および第２のアルキレンジオールは、リン化合物と同時にまたはほぼ同時に、すなわち典型的にはアルキレンジオールのうちの１種との反応が完了する前に混合され得る。少量のナトリウムメトキシドなどの塩基性物質も存在し得る。亜リン酸のメチルエステルを試薬として使用する場合、反応の実質的な完了は、反応混合物からのメタノールの発生および蒸留の停止に対応し得る。好適な温度には、１１０〜１３０℃または１１５〜１２０℃などの１００〜１４０℃の範囲の温度が含まれる。約１４０℃を超える反応温度が用いられる場合、競合する反応が生じる場合があるため、望ましい生成物が有用な収率または有用な純度で形成されない場合のリスクがある。反応時間は、典型的には、温度、印加される圧力（適用される場合）、撹拌、および他の変数に応じて、最大１２時間であり得る。場合によっては、２〜８時間または４〜６時間の反応時間が適切になり得る。
【００５６】
必要に応じて、反応混合物内に他のモノマーを含めてもよい。ジカルボン酸などのポリカルボン酸を含めることは、有益であると見られる場合がある。例えば、比較的少量の酒石酸またはクエン酸を含めることは、生成物に有用な特性を提供し得る。ポリ酸または二酸の量は、生成物オリゴマー１分子当たり少なくとも１個またはおおよそ１個のポリまたはジカルボン酸のモノマー単位を組み込むのに好適な量であり得る。実際に反応混合物に投入されるポリ酸または二酸の量は、この量よりも多くてもよい。理論に縛られることを意図するものではないが、少量の酒石酸が存在する場合、それはポリマーの末端単位として組み込まれ、おそらくアルキレンジオールのＯＨ基とエステル結合を介して縮合されると考えられている。そのような材料は、耐摩耗保護および腐食抑制の点で良好な性能を示すだけでなく、シール性能も示し得る。好適なポリ酸（またはそのエステルもしくは無水物）には、マレイン酸、フマル酸、酒石酸、クエン酸、フタル酸、テレフタル酸、マロン酸（例えば、エステル）、コハク酸、リンゴ酸、アジピン酸、シュウ酸、セバシン酸、ドデカン二酸、グルタル酸、およびグルタミン酸が含まれる。含まれ得る別の種類のモノマーは、反応性ヒドロキシ基を含有するモノカルボン酸、または無水物、エステル、もしくはラクトンなどのそのような材料の反応性等価物である。例には、グリオキシル酸、カプロラクトン、バレロラクトン、およびヒドロキシステアリン酸が含まれる。
【００５７】
潤滑剤に使用される上記の亜リン酸エステル生成物の量は、組成物に０．０１〜０．３もしくは０．１重量パーセント、または他の実施形態では０．０２〜０．０７重量パーセントもしくは０．０２５〜０．０５重量パーセントのリンを提供するのに十分な量であり得る。もちろん、これらの量のリンに対応する生成物の実際の量は、そのリン含有量に依存する。潤滑剤組成物中のエステル生成物の好適な量は、０．０１〜１．０重量パーセント、または０．０２〜０．５重量パーセント、または０．０３〜０．３０重量パーセント、またはさらに０．０５〜０．２５重量パーセントであり得る。
【００５８】
上記のリン含有化合物のそれぞれは、潤滑剤組成物中にそのままで存在し得るが、潤滑剤組成物はまた、２種以上の混合物を含み得る。いくつかの実施形態では、リン含有化合物は、Ｃ３−８ヒドロカルビルホスファイトおよびホスファイトエステル生成物を含むことができる。いくつかの実施形態では、リン含有化合物は、Ｃ３−８ヒドロカルビルホスファイト、Ｃ１２〜Ｃ２４ヒドロカルビルホスファイト、およびホスファイトエステル生成物のそれぞれを含むことができる。いずれにしても、リン含有化合物は、１００〜４５０ｐｐｍのリンを潤滑剤組成物に供給する量で存在しなければならない。いくつかの実施形態では、少なくとも１種のリン含有化合物は、１２５〜４２５ｐｐｍのリン、または１５０〜４００ｐｐｍのリンを潤滑剤組成物に送達する量で存在することができる。
【００５９】
ホスファイトエステルからのリンのレベルとホウ酸エステルからのホウ素のレベルとの比は、０．７超、または０．８超、または０．９超、またはさらに１．０超でなければならない。比は、例えば、０．７〜５、または０．８〜４、０．９〜３、または１．０〜２であり得る。
【００６０】
その他の添加物
潤滑剤組成物は、ホウ酸エステルおよびリン含有化合物の他にさらなる添加剤を含有することができる。
【００６１】
一実施形態では、潤滑剤組成物は、ポリオールと１２〜２４個の炭素原子を含有する脂肪族カルボン酸とのエステルを含むことができる。
【００６２】
ポリオールには、ジオール、トリオール、およびアルコール性ＯＨ基の数が多いアルコールが含まれる。多価アルコールには、ジエチレングリコール、トリエチレングリコール、およびテトラエチレングリコールを含むエチレングリコール；ジプロピレングリコール、トリプロピレングリコール、およびテトラプロピレングリコールを含むプロピレングリコール；グリセロール；ブタンジオール；ヘキサンジオール；ソルビトール；アラビトール；マンニトール；スクロース；フルクトース；グルコース；シクロヘキサンジオール；エリスリトール；ならびにジペンタエリスリトールおよびトリペンタエリスリトールを含むペンタエリスリトール；好ましくは、ジエチレングリコール、トリエチレングリコール、グリセロール、ソルビトール、ペンタエリスリトール、およびジペンタエリスリトールが含まれる。
【００６３】
エステルを形成する脂肪族カルボン酸は、１２〜２４個の炭素原子を含有する酸である。そのような酸は、以下の一般式Ｒ１−（ＣＯ）ＯＨによって特徴付けることができ、式中、Ｒ１は、ヒドロカルビル基であり、これは直鎖ヒドロカルビル基、分岐鎖もしくは環状含有ヒドロカルビル基、またはそれらの混合物であり得る。１２〜２４個の炭素原子、例えば１４〜２０個または１６〜１８個の炭素原子を含有する直鎖ヒドロカルビル基が好ましい。そのような酸は、より多いまたは少ない炭素原子を有する酸と組み合わせて使用することもできる。
【００６４】
一般に、反応条件および反応物の量が注意深く調節されない場合、ポリカルボン酸がポリマー生成物を形成する傾向があるため、酸Ｒ１−（ＣＯ）ＯＨは、モノカルボン酸である。しかしながら、モノカルボン酸と少量のジカルボン酸または無水物との混合物は、エステルの調製に使用できる。カルボン酸の例には、ドデカン酸、ステアリン酸、ラウリン酸、ベヘン酸、およびオレイン酸が含まれる。
【００６５】
前述のエステルは、特に、そのようなポリオールとそのようなカルボン酸とのモノエステルである。好ましいエステルは、グリセロールモノオレエートである。グリセロールモノオレエートが、他のそのような材料の場合のように、その市販のグレードでは、グリセロール、オレイン酸、他の長鎖酸、グリセロールジオレエート、およびグリセロールトリオレエートのような材料を含む混合物であることを理解されたい。市販材料は、３５±５パーセントのグリセロールジオレエート、ならびに約５パーセント未満のトリオレエートおよびオレイン酸に加えて、約６０±５重量パーセントの化学種「グリセロールモノオレエート」を含むと考えられる。以下に記載されるモノエステルの量は、任意のそのような混合物中に存在するポリオールモノエステルの、実際の、修正された量に基づいて計算される。
【００６６】
潤滑剤組成物中の前述のエステルの量は、典型的には、潤滑剤組成物の約０．０１〜約１．０重量％程度であるが、約０．０５〜約０．５または０．８または約０．１〜約０．６重量％でもあり得る。
【００６７】
前述のエステルに加えて、潤滑剤組成物は、アルコールのエステル、および約４〜約８個の炭素原子を含有する脂肪族カルボン酸も含有することができる。
【００６８】
アルコールには、一価アルコールおよび多価アルコール（すなわち、ポリオール）の両方が含まれる。アルコールの炭素原子は、線状、分岐、またはそれらの混合物であり得る。
【００６９】
好適なポリオールは、上記のものと同じである。
【００７０】
分岐している場合、アルコールは、ゲルベアルコールまたはその混合物であり得る。ゲルベアルコールは、以下を含むアルキル基を有し得る：１）Ｃ１５−１６ポリメチレン基を含有するアルキル基、例えば、２−Ｃ１−１５アルキル−ヘキサデシル基（例えば、２−オクチルヘキサデシル）ならびに２−アルキル−オクタデシル基（例えば、２−エチルオクタデシル、２−テトラデシル−オクタデシル、および２−ヘキサデシルオクタデシル）、２）Ｃ１３−１４ポリメチレン基を含有するアルキル基、例えば、１−Ｃ１−１５アルキル−テトラデシル基（例えば、２−ヘキシルテトラデシル、２−デシルテトラデシル、および２−ウンデシルトリデシル）ならびに２−Ｃ１−１５アルキル−ヘキサデシル基（例えば、２−エチル−ヘキサデシルおよび２−ドデシルヘキサデシル）、３）Ｃ１０−１２ポリメチレン基を含有するアルキル基、例えば、２−Ｃ１−１５アルキル−ドデシル基（例えば、２−オクチルドデシル）ならびに２−Ｃ１−１５アルキル−ドデシル基（２−ヘキシルドデシルおよび２−オクチルドデシル）、２−Ｃ１−１５アルキル−テトラデシル基（例えば、２−ヘキシルテトラデシルおよび２−デシルテトラデシル）、４）Ｃ６−９ポリメチレン基を含有するアルキル基、例えば、２−Ｃ１−１５アルキル−デシル基（例えば、２２−オクチルデシル）および２，４−ジ−Ｃ１−１５アルキル−デシル基（例えば、２−エチル−４−ブチル−デシル基）、５）Ｃ１−５ポリメチレン基を含有するアルキル基、例えば、２−（３−メチルヘキシル）−７−メチル−デシルおよび２−（１，４，４−トリメチルブチル）−５，７，７−トリメチル−オクチル基、ならびに６）２個以上の分岐アルキル基の混合物、例えば、プロピレンオリゴマー（ヘキサマーからウンデカマーまで）に対応するオキソアルコールのアルキル残基、エチレン／プロピレン（モル比１６：１〜１：１１）オリゴマー、イソブテンオリゴマー（五量体から八量体まで）、Ｃ５−１７α−オレフィンオリゴマー（二量体から六量体まで）。
【００７１】
好適な分岐一価アルコールの例には、２−エチルヘキサノール、２−ブチルオクタノール、２−ヘキシルデカノール、２−オクチルドデカノール、２−デシルテトラデカノール、イソトリデカノール、イソオクタノール、オレイルアルコール、ゲルベアルコール、またはそれらの混合物が含まれる。一価線状アルコールの例には、メタノール、エタノール、プロパノール、ブタノール、ペンタノール、ヘキサノール、ヘプタノール、オクタノール、ノナノール、デカノール、ウンデカノール、ドデカノール、トリデカノール、テトラデカノール、ペンタデカノール、ヘキサデカノール、ヘプタデカノール、オクタデカノール、ノナデカノール、エイコサノール、またはそれらの混合物が含まれる。一実施形態では、一価アルコールは、６〜３０個、または８〜２０個、または８〜１５個の炭素原子（典型的には８〜１５個の炭素原子）を含有する。
【００７２】
エステルを形成する脂肪族カルボン酸は、４〜８個の炭素原子を含有する酸である。脂肪族である一方、脂肪族カルボン酸は、Ｃ４〜Ｃ８アルキル基骨格に沿ってエチレン性不飽和を含有することができる。加えて、そのような酸は、モノカルボン酸もしくはジカルボン酸もしくは無水物、またはそれらの混合物であり得る。カルボン酸の例には、例えば、コハク酸、マレイン酸、フマル酸、グルタコン酸、グルタル酸、アジピン酸、シトラコン酸、メサコン酸、ピメリン酸、スベリン酸、酪酸、吉草酸、カプロン酸、エナント酸、カプリル酸などが含まれる。
【００７３】
特に好ましいエステルは、アジピン酸エステル、例えば、ジイソオクチルアジペートまたはジトリデシルアジペートなどのＣ８−１３またはＣ８−１２アジペートエステルなどであり得る。他のエステルには、例えば、ペンタエリスリトールエステル、ネオペンチルエステル、およびトリメチロールエステルが含まれ得る。
【００７４】
潤滑剤組成物中の前述のエステルの量は、典型的には、潤滑剤組成物の約０．１〜約３．０重量％程度であるが、約０．２〜約２．５または約０．３〜約２．０重量％でもあり得る。
【００７５】
カルボン酸エステルは、少なくとも１種のカルボン酸（またはエステル、ハロゲン化物、もしくは無水物などのそれらの反応性等価物）と上記のヒドロキシ化合物のうちの少なくとも１種との非常に周知の反応により調製される。
【００７６】
潤滑剤組成物の別の成分は、金属不活性化剤であり得る。そのような材料の例には、２，５−ジメルカプト−１，３，４−チアジアゾールおよび／またはその誘導体が含まれる。そのような材料は、参照により本明細書に組み込まれる欧州特許公開第０７６１８０５号に記載されている。
【００７７】
本明細書で有用な金属不活性化剤は、銅などの金属の腐食を低減する。金属不活性化剤は、金属不動態化剤とも呼ばれる。これらの金属不活性化剤は、典型的には、窒素および／または硫黄含有複素環式化合物、例えば、ジメルカプトチアジアゾール、トリアゾール、アミノメルカプトチアジアゾール、イミダゾール、チアゾール、テトラゾール、ヒドロキシキノリン、オキサゾリン、イミダゾリン、チオフェン、インドール、インダゾール、キノリン、ベンゾオキサジン、ジチオール、オキサゾール、オキサトリアゾール、ピリジン、ピペラジン、トリアジン、およびそれらの任意の１種以上の誘導体である。金属不活性化剤は、好ましくは置換または非置換であってもよい少なくとも１種のトリアゾールを含む。好適な化合物の例は、ベンゾトリアゾール、アルキル置換ベンゾトリアゾール（例えば、トリルトリアゾール、エチルベンゾトリアゾール、ヘキシルベンゾトリアゾール、オクチルベンゾトリアゾールなど）、アリール置換ベンゾトリアゾール（例えば、フェノールベンゾトリアゾールなど）、ならびにアルキルアリールまたはアリールアルキル置換ベンゾトリアゾールおよび置換基がヒドロキシ、アルコキシ、ハロ（特にクロロ）、ニトロ、カルボキシ、およびカルボキシアルコキシであり得る置換ベンゾトリアゾールである。好ましくは、トリアゾールは、アルキル基が１〜約２０個の炭素原子、好ましくは１〜約８個の炭素原子を含有するベンゾトリアゾールまたはアルキルベンゾトリアゾールである。ベンゾトリアゾールおよびトリルトリアゾールが有用である。
【００７８】
一実施形態では、金属不活性化剤は、分散剤とジメルカプトチアジアゾールとの反応生成物である。分散剤は、一般に、カルボン酸とアミンおよび／またはアルコールとの反応生成物として特徴付けられ得る。これらの反応生成物は、潤滑剤の分野で分散剤として一般的に使用されており、分散剤としてそれに加えて、またはその代わりに他の用途を有し得るという事実にもかかわらず、一般に分散剤と呼ばれることがある。カルボン酸分散剤には、スクシンイミド分散剤、エステル型分散剤などが含まれる。スクシンイミド分散剤は、一般に、ポリアミンとアルケニルコハク酸無水物または酸との反応である。エステル型分散剤は、アルケニルコハク酸無水物または酸とポリオール化合物との反応生成物である。次いで、反応生成物は、ポリアミンなどのアミンでさらに処理され得る。有用な分散剤の例は、参照により本明細書に組み込まれる米国特許第３，２１９，６６６号および同第４，２３４，４３５号に開示されている。有用な分散剤には、以下で論じる無灰分散剤も含まれる。一般に、反応は、分散剤とジメルカプトチアジアゾールとの２種を混合し、約１００℃を超える温度に加熱することによって、それらの間で生じる。米国特許第４，１４０，６４３号および同第４，１３６，０４３号は、そのような分散剤とジメルカプトチアジアゾールとの反応により作製された化合物を記載している。これらの特許は、分散剤、ジメルカプトチアジアゾール、この２種を反応させるための方法、およびそのような反応から得られた生成物のそれらの開示について、参照により本明細書に組み込まれる。
【００７９】
一実施形態では、金属不活性化剤は、フェノールとアルデヒドおよびジメルカプトチアジアゾールとの反応生成物である。フェノールは、好ましくは、アルキル基が少なくとも約６個、好ましくは６〜約２４個、より好ましくは約６個、または約７〜約１２個の炭素原子を含有するアルキルフェノールである。アルデヒドは、好ましくは、１〜約７個の炭素原子を含有するアルデヒドまたはホルムアルデヒドなどのアルデヒドシントンである。好ましくは、アルデヒドは、ホルムアルデヒドまたはパラホルムアルデヒドである。アルデヒド、フェノール、およびジメルカプトチアジアゾールは、典型的には、最大約１５０℃、好ましくは約５０℃〜約１３０℃の温度で、ジメルカプトチアジアゾール１モルあたり約０．５〜約２モルのフェノールおよび約０．５〜約２モルのアルデヒドのモル比で、それらを混合することにより反応させる。好ましくは、３種の試薬は、等モル量で反応する。
【００８０】
一実施形態では、金属不活性化剤は、ビス（ヒドロカルビルジチオ）チアジアゾールである。好ましくは、各ヒドロカルビル基は、独立して、６〜約２４個の炭素原子を有するアルキル、アリール、またはアラルキル基である。各ヒドロカルビルは、独立して、ｔ−オクチル、ノニル、デシル、ドデシル、またはエチルヘキシルであり得る。金属不活性化剤は、ビス−２，５−ｔｅｒｔ−オクチル−ジチオ−１，３，４−チアジアゾールまたは２−ｔｅｒｔ−オクチルチオ−５−メルカプト−１，３，４−チアジアゾールとのその混合物であり得る。これらの材料は、Ａｍｏｃｏ  Ｃｈｅｍｉｃａｌ  Ｃｏｍｐａｎｙから入手可能なＡｍｏｃｏ  １５０の商品名で市販されている。これらのジチオチアジアゾール化合物は、ＰＣＴ公開第ＷＯ８８／０３５５１号に成分（ｄ）として開示されており、ジチオチアジアゾール化合物の開示について参照により組み込まれている。好ましい実施形態では、金属不活性化剤は、ジメルカプトチアジアゾール誘導体である。以下のＤ−１およびＤ−２は、具体例である。
【００８１】
実施例Ｄ−１
ｔ−ノニルメルカプタンと酸化結合した２，５−ジメルカプト−１，３，４−チアジアゾール、化学物質１００％、Ｓ３６％、Ｎ６４％。
【００８２】
実施例Ｄ−２
ホルムアルデヒドを使用した２，５−ジメルカプト−１，３，４−チアジアゾールと結合したヘプチルフェノール（チアジアゾールは、その場で生成される）、油２０％、Ｓ１７．７５％、Ｎ５．５％。
【００８３】
使用する場合、潤滑剤組成物中の金属不活性化剤の量は、一般に、潤滑剤組成物の約０．０１〜約０．５重量％の範囲である。いくつかの実施形態では、金属不活性化剤の量は、潤滑剤組成物の約０．０２〜約０．４２重量％または約０．０３〜約０．３３重量％または約０．０４〜約０．２４重量％の範囲にある。
【００８４】
潤滑剤組成物は、ポリ（メタ）アクリレートポリマー粘度調整剤も含有することができる。本明細書で使用される場合、以下の粘度調整剤の範囲は、３５０〜２，０００，０００の範囲の重量平均分子量を有するポリスチレン標準を使用したＧＰＣにより測定する。
【００８５】
一実施形態における潤滑剤組成物は、５，０００〜２５，０００、または８０００〜２０，０００の重量平均分子量を有する線状ポリ（メタ）アクリレートポリマーを含む。
【００８６】
線状ポリ（メタ）アクリレートポリマーは、潤滑組成物の０．１重量％〜５重量％、または０．１重量％〜４重量％、または０．２重量％〜３重量％、または０．５重量％〜３重量％、０．５重量％〜４重量％で潤滑組成物中に存在し得る。
【００８７】
ポリ（メタ）アクリレートポリマーは、（ａ）（メタ）アクリレートのアルキル基が、１０〜１５個の炭素原子を有する、５０重量％〜９５重量％、または６０重量％〜８０重量％のアルキル（メタ）アクリレート、（ｂ）（メタ）アクリレートのアルキル基が、１〜９個の炭素原子を有する、１重量％〜４０重量％、または４重量％〜３５重量％のアルキル（メタ）アクリレート、（ｃ）１重量％〜１０重量％、または１重量％〜８重量％の分散剤機能性を有するモノマー、（ｄ）０重量％〜４重量％、または０重量％〜２重量％、または０重量％のビニル芳香族モノマー（典型的にはスチレン）、および（ｅ）（メタ）アクリレートのアルキル基が、１６〜１８個の炭素原子を有する、０重量％〜９重量％、または０重量％〜６重量％のアルキル（メタ）アクリレートを含むモノマー組成物から誘導され得る。一実施形態では、線状ポリマーは、０重量％〜２０重量％の１６〜１８アルキル（メタ）アクリレートを含有し得る。
【００８８】
一実施形態では、線状ポリマーは、（ａ）エステル基のアルコール誘導部分中の８〜２４個、または１０〜１８個、または１２〜１５個の炭素原子、および（ｂ）エステル基のアルコール誘導部分中の６〜１１個、または８〜１１個、または８個の炭素原子を含有し、２−（Ｃ１−４アルキル）置換基、および任意に、エステル基のアルコール誘導部分中の１〜７個の炭素原子を含有する（メタ）アクリル酸エステルからなる群から選択される少なくとも１個のモノマーを有し、（メタ）アクリル酸エステル（ａ）および（ｂ）とは異なるアルキル（メタ）アクリレートエステルモノマーと、ビニル芳香族化合物（またはビニル芳香族モノマー）と、窒素含有ビニルモノマーと、の混合物から誘導される単位を有するポリ（メタ）アクリレート（典型的にはポリメタクリレート）を含むが、ただし、エステルの６０重量％以下、または５０重量％以下、または３５重量％以下が、エステル基のアルコール誘導部分中に１０個以下の炭素原子を含有することを条件とする。このタイプの線状ポリマーは、ＵＳ６，１２４，２４９、またはＥＰ０９３７７６９Ａ１の段落［００１９］および［００３１］〜［００６７］にさらに詳細に記載されている。（「アルコール誘導部分」とは、Ｒ´Ｃ（＝Ｏ）−ＯＲと書かれた場合、実際にアルコールとの反応によって調製されるかどうかに関係なく、エステルの「−ＯＲ」部分を指す。）任意に、線状ポリマーは、第３のモノマーをさらに含有し得る。第３のモノマーは、スチレンまたはそれらの混合物であり得る。第３のモノマーは、ポリマー組成物の０％〜２５％、または組成物の１％〜１５％、組成物の２％〜１０％、またはさらに組成物の１％〜３％の量で存在し得る。
【００８９】
典型的には、コポリマー中のエステル（ａ）とエステル（ｂ）とのモル比は、９５：５〜３５：６５、または９０：１０〜６０：４０、または８０：２０〜５０：５０の範囲である。
【００９０】
エステルは、通常、脂肪族エステル、典型的には、アルキルエステルである。一実施形態では、（ａ）のエステルは、Ｃ１２−１５アルキル（メタ）アクリレートであってもよく、（ｂ）のエステルは、２−エチルヘキシル（メタ）アクリレートであってもよい。
【００９１】
一実施形態では、エステル（ａ）中のエステル基は、分岐アルキル基を含有する。エステル基は、分岐アルキル基を有する２〜６５％、または５〜６０％のエステル基を含有し得る。分岐アルキル基は、β分岐であってもよく、８〜６０個、または８〜３０個、または８〜１６個の炭素原子を含有し得る。例えば、分岐アルキル基は、２−エチルヘキサノール、２−ブチルオクタノール、２−ヘキシルデカノール、２−オクチルドデカノール、２−デシルテトラデカノール、もしくはそれらの混合物、またはＳａｓｏｌから入手可能なＩｓｏｆｏｌ（登録商標）分岐ゲルベアルコールなどの市販のアルコールから誘導され得る。
【００９２】
Ｃ１−４アルキル置換基は、メチル、エチル、ならびにプロピルおよびブチルの任意の異性体であり得る。
【００９３】
線状ポリ（メタ）アクリレートの重量平均分子量は、４５，０００以下、または３５，０００以下、または２５，０００以下、または８０００〜２５，０００、または１０，０００〜３５，０００、または１２，０００〜２０，０００であり得る。
【００９４】
線状ポリマーは、分散剤の機能性を示し得るので粘度調整剤または分散性粘度調整剤と称され得る。本明細書における「分散性粘度調整剤」への言及は、化合物の別個のクラスである分散剤を除く。線状ポリマーは、分散剤機能性を有する０．５重量％〜４重量％の線状（メタ）アクリルポリマー粘度調整剤で存在する唯一の粘度調整剤（または分散性粘度調整剤）として使用され得、線状ポリマーは、５，０００〜２５，０００、または１０，０００〜２０，０００の重量平均分子量を有し、潤滑粘度の油は、１００℃で２．８〜３．１ｃＳｔ（ｍｍ２／ｓ）の動粘度および１０４〜１３０の粘度指数を有する。
【００９５】
一実施形態での潤滑剤組成物は、分散剤機能性を有する２種の線状ポリマー粘度調整剤のみを含有し得、線状ポリマーは、５，０００〜２５，０００、または１０，０００〜２０，０００の重量平均分子量を有する。
【００９６】
一実施形態では、潤滑組成物は、分散剤機能性を有する０．１重量％〜４重量％（または０．２重量％〜３重量％）の線状（メタ）アクリルポリマー粘度調整剤を含み得、線状ポリマーは、２５，０００超〜４００，０００（もしくは３５０，０００まで）または３０，０００〜１５０，０００の重量平均分子量を有する。重量平均分子量が２５，０００〜４００，０００（または３５０，０００まで）の線状（メタ）アクリルポリマーは、重量平均分子量が異なることを除き、重量平均分子量が５，０００〜２５，０００の線状（メタ）アクリルポリマーと化学的に類似しているとみなされ得る。
【００９７】
潤滑組成物は、分散剤機能性を有する線状ポリマー粘度調整剤を含み得、０．１重量％〜４重量％（または０．２重量％〜３重量％）の分散剤機能性を有する線状（メタ）アクリルポリマー粘度調整剤を含み、線状ポリマーが、１０，０００〜２０，０００の重量平均分子量および分散剤官能性を有する０．１重量％〜４重量％（または０．２重量％〜３重量％）の線状（メタ）アクリルポリマー粘度調整剤を有し、線状ポリマーが、２０，０００超〜２５０，０００（または３０，０００〜１５０，０００）の重量平均分子量を有する。
【００９８】
以下に説明するように、粘度調整剤の分子量は、ポリスチレン標準を使用するＧＰＣ分析などの既知の方法を使用して決定された。ポリマーの分子量を決定するための方法は周知されている。方法は、例えば、（ｉ）Ｐ．Ｊ．Ｆｌｏｒｙ，“Ｐｒｉｎｃｉｐｌｅｓ  ｏｆ  ｓｔａｒ  ｐｏｌｙｍｅｒ  Ｃｈｅｍｉｓｔｒｙ”，Ｃｏｒｎｅｌｌ  Ｕｎｉｖｅｒｓｉｔｙ  Ｐｒｅｓｓ  ９１９５３），Ｃｈａｐｔｅｒ  ＶＩＩ，ｐｐ２６６−３１５または（ｉｉ）“Ｍａｃｒｏｍｏｌｅｃｕｌｅｓ，ａｎ  Ｉｎｔｒｏｄｕｃｔｉｏｎ  ｔｏ  ｓｔａｒ  ｐｏｌｙｍｅｒ  Ｓｃｉｅｎｃｅ”，Ｆ．Ａ．Ｂｏｖｅｙ  ａｎｄ  Ｆ．Ｈ．Ｗｉｎｓｌｏｗ，Ｅｄｉｔｏｒｓ，Ａｃａｄｅｍｉｃ  Ｐｒｅｓｓ（１９７９），ｐｐ２９６−３１２に記載される。
【００９９】
本発明の別の成分は、１２〜２４個の炭素原子を含有するホウ酸化エポキシドである。あるいは、この材料は、１２〜２４個の炭素原子を含有するビシナルジオールのホウ酸エステルとして説明できる。そのような材料は、以下の構造によって表され得、
【化９】
2020531618.tif 000011
式中、Ｒ１、Ｒ２、Ｒ３、およびＲ４のそれぞれは、独立して、水素もしくは脂肪族ラジカル、またはそれらの任意の２個が、それらが結合する炭素原子（複数可）と一緒になって、環式ラジカルを形成する。好ましくは、Ｒ基のうちの少なくとも１個は、少なくとも８個または少なくとも１０個の炭素原子を含有するアルキル基である。一実施形態では、Ｒ基のうちの１個は、そのようなアルキル基であり、残りのＲ基は、水素である。ホウ酸化エポキシドは、米国特許第４，５８４，１１５号に詳細に記載されている。ホウ酸化エポキシドは、一般に、エポキシドをホウ酸または三酸化ホウ素などのホウ素源と反応させることにより調製される。ホウ酸化エポキシド自体は、エポキシドではないが、エポキシドの開環ホウ素含有反応生成物である。好適なエポキシドには、Ｃ１４−１６またはＣ１４−１８またはＣ１６−１８エポキシドの市販混合物が含まれ、これらは、Ｅｌｆ−ＡｔｏｃｈｅｍまたはＵｎｉｏｎ  Ｃａｒｂｉｄｅから購入でき、対応するオレフィンから既知の方法で調製できる。１，２−エポキシヘキサデカンなどの精製エポキシ化合物は、Ａｌｄｒｉｃｈ  Ｃｈｅｍｉｃａｌｓから購入できる。ホウ酸化化合物は、ホウ素合物とエポキシドとをブレンドし、好適な温度、典型的には８０°〜２５０℃で所望の反応が生じるまで、それらを加熱することにより調製される。トルエン、キシレン、またはジメチルホルムアミドなどの不活性液体を反応媒体として使用できる。水が形成され、典型的には、反応中に留去される。アルカリ試薬を使用して反応を触媒できる。好ましいホウ酸化エポキシドは、主に１６個の炭素オレフィンのホウ酸化エポキシドである。ホウ酸エポキシドの量は、組成物の０．０１または０．０５〜０．５または１．０重量部、あるいは０．１〜０．９パーセントであり得る。
【０１００】
他の任意の材料は、少なくとも２種の酸化防止剤、例えば芳香族アミン酸化防止剤、エステル含有ヒンダードフェノール酸化防止剤を含むヒンダードフェノール酸化防止剤、および硫化オレフィン酸化防止剤の混合物を含み得る。これらの酸化防止剤は、任意に０．０１〜５、または０．１５〜４．５、または０．２〜４、または０．２〜２重量パーセントの量で存在してもよい。
【０１０１】
一実施形態では、本発明の潤滑組成物は、アリールアミン酸化防止剤を含む。アリールアミン酸化防止剤は、フェニル−α−ナフチルアミン（ＰＡＮＡ）もしくはヒドロカルビル置換ジフェニルアミン、またはそれらの混合物であり得る。ヒドロカルビル置換ジフェニルアミンは、モノ−もしくはジ−Ｃ４〜Ｃ１６−、またはＣ６〜Ｃ１２−、またはＣ９−アルキルジフェニルアミンを含み得る。例えば、ヒドロカルビル置換ジフェニルアミンは、オクチルジフェニルアミン、またはジオクチルジフェニルアミン、ジノニルジフェニルアミン、典型的にはジノニルジフェニルアミンであり得る。
【０１０２】
存在する場合、アリールアミン酸化防止剤は、潤滑組成物の０．２重量％〜１．２重量％、または０．３重量％〜１．０重量％、または０．４重量％〜０．９重量％、または０．５重量％〜０．８重量％で存在し得る。
【０１０３】
ヒンダードフェノール酸化防止剤は、多くの場合、立体障害基として第二級ブチルおよび／または第三級ブチル基を含有する。フェノール基は、多くの場合、第２の芳香族基に連結するヒドロカルビル基および／または架橋基でさらに置換され得る。好適なヒンダードフェノール酸化防止剤の例には、２，６−ジ−ｔｅｒｔ−ブチルフェノール、４−メチル−２，６−ジ−ｔｅｒｔ−ブチルフェノール、４−エチル−２，６−ジ−ｔｅｒｔ−ブチルフェノール、４−プロピル−２，６−ジ−ｔｅｒｔ−ブチルフェノールもしくは４−ブチル−２，６−ジ−ｔｅｒｔ−ブチルフェノール、または４−ドデシル−２，６−ジ−ｔｅｒｔ−ブチルフェノールが含まれる。一実施形態では、ヒンダードフェノール酸化防止剤は、エステルであり得、例えば、ＣｉｂａからのＩｒｇａｎｏｘ（商標）Ｌ−１３５またはブチル３−（３，５−ジ−ｔｅｒｔ−ブチル−４−ヒドロキシフェニル）プロパノエートを含み得る。
【０１０４】
存在する場合、ヒンダードフェノール酸化防止剤は、潤滑組成物の０．１重量％〜１重量％、または０．２重量％〜０．９重量％、または０．１重量％〜０．４重量％、または０．４重量％〜１．０重量％で存在し得る。
【０１０５】
酸化防止剤には、モノスルフィドもしくはジスルフィド、またはそれらの混合物などの硫化オレフィンも含まれる。これらの材料は一般に、１〜１０個、例えば１〜４個、または１または２個の硫黄原子を含むスルフィド結合を有している。潤滑剤組成物中の硫化酸化防止剤として用いるために硫化できる材料には、油、脂肪酸およびエステル、それらから作製されるオレフィンおよびポリオレフィン、テルペン、またはディールスアルダー付加物が含まれ得る。いくつかのそのような硫化材料の調製方法の詳細は、米国特許番号３，４７１，４０４および同第４，１９１，６５９号に記載されている。
【０１０６】
潤滑組成物はまた、カルシウム含有洗剤を含み得る。カルシウム含有洗剤は、好ましくは存在しないが、それは、組成物に最大３００ｐｐｍのカルシウム、または３０ｐｐｍ〜３００ｐｐｍ、または３０ｐｐｍ〜２７５ｐｐｍのカルシウム、または６０ｐｐｍ〜２５０ｐｐｍ、またはさらに６０ｐｐｍ〜２２５ｐｐｍのカルシウムを送達するための量で含まれ得る。
【０１０７】
いくつかの実施形態では、カルシウム含有洗剤は、９００ｐｐｍ以下、または１〜９００ｐｐｍ、またはさらに５〜８００ｐｐｍもしくは１０〜７００ｐｐｍ、またはさらに１５〜６００もしくは５００ｐｐｍで存在し得る。
【０１０８】
カルシウム含有洗剤は、過塩基性清浄剤、非過塩基性清浄剤、またはそれらの混合物であり得る。典型的には、洗剤は過塩基性である。
【０１０９】
カルシウム含有洗剤の調製は、当技術分野で知られている。過塩基性カルシウム含有洗剤の調製を記載した特許には、米国特許第２，５０１，７３１号、同第２，６１６，９０５号、同第２，６１６，９１１号、同第２，６１６，９２５号、同第２，７７７，８７４号、同第３，２５６，１８６号、同第３，３８４，５８５号、同第３，３６５，３９６号、同第３，３２０，１６２号、同第３，３１８，８０９号、同第３，４８８，２８４号、および同第３，６２９，１０９号が含まれる。
【０１１０】
カルシウム含有洗剤は、非過塩基性洗剤（中性洗剤とも呼ばれ得る）であり得る。非過塩基性のＴＢＮは、２０〜２００未満、または３０〜１００、または３５〜５０ｍｇＫＯＨ／ｇであり得る。非過塩基性カルシウム含有洗剤のＴＢＮは、２０〜１７５、または３０〜１００ｍｇＫＯＨ／ｇでもあり得る。非過塩基性カルシウム含有洗剤が、ヒドロカルビル置換スルホン酸などの強酸から調製される場合、ＴＢＮは、低くなり得る（例えば、０〜５０ｍｇＫＯＨ／ｇ、または１０〜２０ｍｇＫＯＨ／ｇ）。
【０１１１】
本明細書で使用される場合、ＴＢＮの引用された値および関連するＴＢＮの範囲は、「現状のまま」であり、すなわち、希釈油の従来の量を含有する。希釈油の従来の量は、典型的には、洗剤成分の３０重量％〜６０重量％（多くの場合４０重量％〜５５重量％）の範囲である。
【０１１２】
カルシウム含有洗剤は、例えば、２００ｍｇＫＯＨ／ｇ（典型的には２５０〜６００、または３００〜５００ｍｇＫＯＨ／ｇ）を超えるＴＢＮを有する過塩基性洗剤であり得る。
【０１１３】
過塩基性カルシウム含有洗剤は、塩基性カルシウム化合物と酸性洗剤基質との反応により形成され得る。酸性洗剤基質は、アルキル芳香族スルホン酸（アルキルナフタレンスルホン酸、アルキルトルエンスルホン酸、もしくはアルキルベンゼンスルホン酸など）、アルキルサリチル酸、またはそれらの混合物を含み得る。
【０１１４】
塩基性カルシウム化合物は、洗剤に塩基性を供給するために使用される。塩基性カルシウム化合物は、カルシウムの水酸化物または酸化物の化合物である。
【０１１５】
酸化物および／または水酸化物は、単独でまたは組み合わせて使用され得る。酸化物または水酸化物は、水和または脱水され得るが、水和が典型的である。一実施形態では、塩基性カルシウム化合物は、水酸化カルシウムであり得、それは単独で使用してもよく、または他の金属塩基性化合物との混合物として使用してもよい。水酸化カルシウムは、多くの場合、石灰と呼ばれる。一実施形態では、カルシウム塩基性化合物は、単独でまたは他の金属塩基性化合物との混合物で使用され得る酸化カルシウムであり得る。
【０１１６】
一実施形態では、カルシウム含有洗剤は、スルホネート、またはそれらの混合物であり得る。スルホネートは、モノヒドロカルビル置換ベンゼンまたはジヒドロカルビル置換ベンゼン（またはナフタレン、インデニル、インダニル、もしくはビシクロペンタジエニル）スルホン酸から調製され得、ヒドロカルビル基は、６〜４０個、または８〜３５個または９〜３０個の炭素原子を含有し得る。
【０１１７】
ヒドロカルビル基は、ポリプロピレン、または少なくとも１０個の炭素原子を含有する線状または分岐アルキル基から誘導され得る。好適なアルキル基の例には、分岐および／または線状デシル、ウンデシル、ドデシル、トリデシル、テトラデシル、ペンタデシル、ヘキサデシル、ヘプタデシル、オクタデシル、オクタデセニル、ノノデシル、エイコシル、ウン−エイコシル、ド−エイコシル、トリ−エイコシル、テトラ−エイコシル、ペンタエイコシル、ヘキサ−エイコシル、またはそれらの混合物が含まれる。
【０１１８】
一実施形態では、ヒドロカルビル置換スルホン酸は、ポリプロペンベンゼンスルホン酸および／もしくはＣ１６−Ｃ２４アルキルベンゼンスルホン酸、またはそれらの混合物を含み得る。
【０１１９】
一実施形態では、カルシウムスルホネート洗剤は、米国特許出願第２００５０６５０４５号（およびＵＳ７，４０７，９１９として付与）の段落［００２６］〜［００３７］に記載されているような少なくとも８の金属比を有する主に線状アルキルベンゼンスルホネート洗剤であり得る。いくつかの実施形態では、線状アルキル基は、アルキル基の直鎖に沿ったどこでもベンゼン環に結合され得るが、多くの場合、直鎖の２、３、または４位、場合によっては主に２位でベンゼン環に結合され得る。
【０１２０】
中性またはわずかに塩基性の場合、カルシウムスルホネート洗剤は、１００未満、または７５未満、典型的には、２０〜５０ｍｇＫＯＨ／ｇ、または０〜２０ｍｇＫＯＨ／ｇのＴＢＮを有し得る。
【０１２１】
過塩基性の場合、カルシウムスルホネート洗剤は、２００超、または３００〜５５０、または３５０〜４５０ｍｇＫＯＨ／ｇのＴＢＮを有し得る。
【０１２２】
フェナート洗剤は、典型的には、ｐ−ヒドロカルビルフェノールまたは一般にアルキルフェノールから誘導される。このタイプのアルキルフェノールは、硫黄と結合して過塩基化、アルデヒドと結合して過塩基化、またはカルボキシル化されてサリチル酸洗剤を形成し得る。好適なサリチル酸アルキルには、プロピレンのオリゴマー、ブテンのオリゴマー、特にｎ−ブテンの四量体および五量体でアルキル化されたもの、ならびにアルファ−オレフィン、異性化されたアルファ−オレフィン、およびポリイソブチレンのようなポリオレフィンでアルキル化されたものが含まれる。一実施形態では、潤滑組成物は、０．２重量％未満、または０．１重量％未満、またはさらに０．０５重量％未満のＰＤＤＰから誘導されたサリチレート洗剤を含む。一実施形態では、潤滑剤組成物は、ＰＤＤＰから誘導されないサリチレート洗剤を含む。一実施形態では、潤滑組成物は、ＰＤＤＰから調製されたサリチレート洗剤を含み、そのような洗剤は、１．０重量パーセント未満の未反応ＰＤＤＰ、もしくは０．５重量パーセント未満の未反応ＰＤＤＰを含有し、または実質的にＰＤＤＰを含まない。
【０１２３】
洗剤は、ホウ酸化されていても、ホウ酸化されていなくてもよい。
【０１２４】
スルホネートおよびサリチレート洗剤の化学構造は、当業者に知られている。「Ｃｈｅｍｉｓｔｒｙ  ａｎｄ  Ｔｅｃｈｎｏｌｏｇｙ  ｏｆ  Ｌｕｂｒｉｃａｎｔｓ」と題する標準教科書、第３版、Ｒ．Ｍ．ＭｏｒｔｉｅｒおよびＳ．Ｔ．Ｏｒｓｚｕｌｉｋ編、著作権２０１０、小見出し７．２．６の２２０〜２２３ページに、該洗剤およびその構造の一般的な開示が提供されている。
【０１２５】
一実施形態では、カルシウム含有洗剤は、過塩基性カルシウムスルホネート、過塩基性カルシウムサリチレート、またはそれらの混合物であり得る。典型的には、洗剤は、過塩基性カルシウムスルホネートであり得る。
【０１２６】
一実施形態では、カルシウム含有洗剤は、亜鉛含有洗剤、バリウム含有洗剤、ナトリウム含有洗剤、またはマグネシウム含有洗剤との混合物であり得る。亜鉛含有洗剤、バリウム含有洗剤、ナトリウム含有洗剤、またはマグネシウム含有洗剤も当技術分野で周知であり、カルシウム含有洗剤を記載する同じ参考文献に記載されている。しかしながら、ＴＢＮと金属との比は、わずかに異なり得る。亜鉛含有洗剤、バリウム含有洗剤、ナトリウム含有洗剤、またはマグネシウム含有洗剤は、フェネート、硫黄含有フェネート、スルホネート、サリキサレート、またはサリチレートであり得る。典型的には、亜鉛含有洗剤、バリウム含有洗剤、ナトリウム含有洗剤、またはマグネシウム含有洗剤は、マグネシウムフェネート、マグネシウム硫黄含有フェネート、またはマグネシウムスルホネートであり得る。
【０１２７】
「金属比」、ＴＢＮ、および「石鹸含有量」という表現のより詳細な説明は、当業者に知られており、例えば「Ｃｈｅｍｉｓｔｒｙ  ａｎｄ  Ｔｅｃｈｎｏｌｏｇｙ  ｏｆ  Ｌｕｂｒｉｃａｎｔｓ」第３版、Ｒ．Ｍ．ＭｏｒｔｉｅｒおよびＳ．Ｔ．Ｏｒｓｚｕｌｉｋ編、著作権２０１０、小見出し７．２．５の２１９〜２２０ページなどの標準的な教科書で説明されている。洗剤の分類。
【０１２８】
変速機で頻繁に使用される別の材料は、分散剤である。分散剤には、例えば、「スクシンイミド分散剤」、ヒドロカルビル置換コハク酸無水物またはその反応性等価物とポリ（エチレンアミン）などのアミンとの反応により調製される種のカルボン酸分散剤、比較的高分子量の脂肪族または脂環式ハロゲン化物とポリアルキレンポリアミンなどのアミンとの反応生成物である「アミン分散剤」、「マンニッヒ分散剤」、すなわち、アルキル基が少なくとも３０個の炭素原子を含有するアルキルフェノールとアルデヒド（特にホルムアルデヒド）およびアミン（特にポリアルキレンポリアミン）との反応生成物、ならびに米国特許第３，３８１，０２２号に記載されているように、ヒドロカルビルアシル化剤とグリセロール、ペンタエリスリトール、またはソルビトールなどの多価脂肪族アルコールとの反応によって調製されたと見られ得ることを除いて、上記のスクシンイミド分散剤と同様の「エステル分散剤」が含まれ得る。後処理された分散剤も使用され得る。後処理された分散剤は、一般に、カルボン酸（例えば、スクシンイミド）、アミン、またはマンニッヒ分散剤を、尿素、チオ尿素、二硫化炭素、アルデヒド、ケトン、カルボン酸、炭化水素置換無水コハク酸、ニトリル、エポキシドなどの試薬、ホウ酸などのホウ素化合物（上記の「ホウ酸化分散剤」を得る）、リン酸または無水物などのリン化合物、２，５−ジメルカプトチアジアゾール（ＤＭＴＤ）、またはベンゼン環上の１，３もしくは１，４位に酸性基を有する芳香族二酸（テレフタル酸など）と反応させることによって得られる。分散剤の混合物も使用できる。分散剤は、分散剤の重量で約１１，０００ｐｐｍ以上、または約１１，５００ｐｐｍ以上、または約１２，０００ｐｐｍ以上の窒素含有量を有することができる。
【０１２９】
後処理されているかどうかに関わらず（例えば、ホウ酸化もしくは非ホウ酸化であるが、好ましくはホウ酸化）、組成物中の分散剤（複数可）の合計量、またはそれらの組み合わせは、例えば、最終ブレンド流体配合物の０．０１〜１．８重量パーセント、または例えば、０．０２５〜１．５パーセントまたは０．０５〜１．２５重量パーセントであり得るが、濃縮物では、その量は比例して高くなる。分散剤がホウ酸化される程度まで、分散剤は、組成物に１００ｐｐｍ未満のホウ素、または９０ｐｐｍ未満のホウ素、またはさらに８０ｐｐｍ未満のホウ素、場合によっては組成物に７０ｐｐｍ未満のホウ素を提供し得る。
【０１３０】
潤滑剤組成物は、好ましくは、ＡＳＴＭ  Ｄ２６２４により測定される場合、１００℃および５００Ｖで最大７．０×１０−１０Ｓ／ｃｍ、または６．５ｘ１０−１０Ｓ／ｃｍから、または６．０ｘ１０−１０Ｓ／ｃｍまたは５．５×１０−１０Ｓ／ｃｍまたは５．０×１０−１０Ｓ／ｃｍの導電率を示す。潤滑剤組成物は、導電性を有していないことが非常に好ましいが、実用的に言えば１００℃で４．０×１０−１０または４．５×１０−１０の程度の導電率が達成可能であり得る。
【０１３１】
実施形態では、潤滑剤組成物は、摩擦調整剤を実質的に含まない。いくつかの実施形態では、潤滑剤組成物は、摩擦調整剤を完全に含まない。
【０１３２】
潤滑剤組成物は、変速機を潤滑するのに好適である。特に、潤滑剤組成物は、電動機を備えた自動車の変速機を潤滑するのに好適であり、これは、完全電気自動車または電動機および炭化水素もしくは他の燃料を動力とするエンジンの両方を有するハイブリッド電気自動車であり得る。変速機におけるそのような使用のための潤滑剤組成物は、好ましくは、４０℃で８ｃＳｔ〜１８ｃＳｔ、または例えば８ｃＳｔ〜１６ｃＳｔ、またはさらに８ｃＳｔ〜１５ｃＳｔ、または９ｃＳｔ〜１５もしくは１６ｃＳｔ、または例えば、８ｃＳｔ〜１２．５もしくは１３ｃＳｔ、またはさらに９ｃＳｔ〜１２．５もしくは１３ｃＳｔ、または１０ｃＳｔ〜１２ｃＳｔの動粘度を有する。したがって、一態様は、本明細書に開示される潤滑剤組成物を変速機に供給し、変速機を作動させることを含む、変速機、特に電動機を備えた自動車の変速機を潤滑する方法である。
【０１３３】
潤滑剤組成物が好適であり得る変速機には、自動変速機およびデュアルクラッチ変速機が含まれる。変速機は、変速クラッチを含んでも含まなくてもよく、変速機が変速クラッチを含む場合、クラッチは、乾式クラッチまたは湿式クラッチであり得る。一実施形態では、潤滑剤は、変速クラッチを収容しない変速機で使用され得る。別の実施形態では、潤滑剤組成物は、湿式クラッチを有する変速機に用いられ得る。さらなる実施形態では、潤滑剤組成物は、乾式クラッチを有する変速機で用いられ得る。
【０１３４】
本明細書で使用される場合、「縮合生成物」という用語は、縮合反応が実際に実行されて生成物に直接つながるかどうかに関係なく、エステル、アミド、イミド、および酸または酸の反応性等価物（例えば、酸ハロゲン化物、無水物、もしくはエステル）と、アルコールまたはアミンとの縮合反応によって調製され得る他のそのような材料を包含する。したがって、例えば、特定のエステルは、縮合反応によって直接ではなく、エステル交換反応によって調製され得る。結果として生じる生成物は、依然として、凝縮生成物とみなされる。
【０１３５】
記載されている各化学成分の量は、特に断りのない限り、市販の材料に通常存在する可能性のある溶媒または希釈油を除いて、つまり活性化学ベースで示されている。ただし、特に明記しない限り、本明細書で言及する各化学物質または組成物は、異性体、副生成物、誘導体、および商業グレードに存在すると通常理解される他のそのような材料を含む可能性がある商業グレードの材料であると解釈されるべきである。
【０１３６】
本明細書で使用される場合、「ヒドロカルビル置換基」または「ヒドロカルビル基」という用語は、通常の意味で使用され、これは当業者に良く知られている。具体的には、それは、分子の残りに直接結合した炭素原子を有し、主に炭化水素特性を有する基を指す。ヒドロカルビル基の例には以下が含まれる：
【０１３７】
炭化水素置換基、すなわち、脂肪族（例えば、アルキルまたはアルケニル）、脂環式（例えば、シクロアルキル、シクロアルケニル）置換基、および芳香族、脂肪族、ならびに脂環式置換芳香族置換基、ならびに環が分子の別の部分を介して完了する環式置換基（例えば、２つの置換基が一緒に環を形成する）、
【０１３８】
置換炭化水素置換基、すなわち、本発明の文脈において、置換基の主に炭化水素の性質を変えない非炭化水素基を含有する置換基（例えば、ハロ（特にクロロおよびフルオロ）、ヒドロキシ、アルコキシ、メルカプト、アルキルメルカプト、ニトロ、ニトロソ、およびスルホキシ）、
【０１３９】
ヘテロ置換基、すなわち、本発明の文脈において、主に炭化水素特性を有するが、炭素原子から構成される環、そうでなければ鎖に炭素以外を含有し、ピリジル、フリル、チエニル、およびイミダゾリルとして置換基を包含する置換基。ヘテロ原子には、硫黄、酸素、および窒素が含まれる。一般に、ヒドロカルビル基中の１０個の炭素原子ごとに２個以下、または１個以下の非炭化水素置換基が存在し、あるいは、ヒドロカルビル基中に非炭化水素置換基がなくてもよい。
【０１４０】
上記の材料のいくつかは、最終的な配合組成で相互作用し得、その結果、最終的な配合組成の成分は最初に添加されるものと異なり得ることが分かる。例えば、（例えば、洗剤の）金属イオンは、他の分子の他の酸性またはアニオン部位に移動する可能性がある。それにより形成された、本明細書の組成物をその意図する用途において用いて形成された生成物を含む生成物は簡単に説明されない場合がある。それにもかかわらず、そのような修正および反応生成物は全て、本発明の範囲内に含まれ、本発明は、上記の成分を混合することにより調製されるその組成物を包含する。
【０１４１】
本明細書で使用される場合、「約」という用語は、所与の量の値が規定値の±２０％以内であることを意味する。他の実施形態では、値は規定値の±１５％以内である。他の実施形態では、値は規定値の±１０％以内である。他の実施形態では、値は規定値の±５％以内である。他の実施形態では、値は規定値の±２．５％以内である。他の実施形態では、値は規定値の±１％以内である。
【０１４２】
加えて、本明細書で使用される場合、「実質的に」という用語は、所与の量の値が規定値の±１０％以内であることを意味する。他の実施形態では、値は規定値の±５％以内である。他の実施形態では、値は規定値の±２．５％以内である。他の実施形態では、値は規定値の±１％以内である。
【０１４３】
本明細書における本発明は、ハイブリッド電気自動車用の自動変速機を潤滑するのに有用であり、これは以下の実施例を参照してよりよく理解され得る。
【実施例】
【０１４４】
いくつかの配合物を調製し、ピッティングについて試験した。
【０１４５】
以下の表に従って、試料配合物をブレンドした。
【表２】
2020531618.tif 000012
【０１４６】
以下の表に従って、さらなる配合物をブレンドした。
【表３】
2020531618.tif 000013
【０１４７】
試料の導電率は、２ｍｍの電極間隔で液体絶縁材料用の試験セル（Ｔｅｔｔｅｘ  ２９０３）を装備したＴｅｔｔｅｘ  ２８３０／２８３１油誘電アナライザーを使用して測定した。各試料の４０ｍｌを試験セルに移した。散逸率および誘電定数（誘電率）は、１００℃±２℃および印加した６００Ｖ  ＡＣで記録した。周波数を５０Ｈｚで一定に保持した。抵抗率の測定も、この温度で３分の短絡時間および１分の通電時間によって＋５００Ｖ  ＤＣで行った。記録した最終抵抗値から導電率を計算した。
【０１４８】
８０時間のＦＺＧピッティング試験に従って、孔食について試料も試験した。この試験では、１５００グラムの油試料および速度を１，５００ＲＰＭ（８．６５ｍ／ｓ）に設定し、１２０℃の試料温度で０．５％のアーム長を有するＦＺＧピッティングリグを使用する。試験を最初に負荷ステージ７で８時間開始し、次いでいかなる摩耗の問題もないか検査する。摩耗の問題がない場合、次いで、負荷ステージ８で試験を再開し、同じ速度および温度を使用してさらに８時間運転する。あらゆる摩耗の問題について２回目の８時間の運転からギアを再検査した後、試料を１２０℃で同じ１，５００ＲＰＭの速度によって負荷ステージ９でさらに６４時間運転する。完了したら、測定ゲージを使用して、マイクロピットの数およびサイズ（ミリメートル）についてピニオンギアの各歯を検査する。最高のマイクロピット歯のミリメートル単位の面積およびすべての歯のすべてのマイクロピットの合計を記録する。より低いレベルのピッティングが好ましい。
【０１４９】
導電率およびピッティング試験の結果を以下の表に示す。
【表４】
2020531618.tif 000014
【表５】
2020531618.tif 000015
【０１５０】
上記で言及された文書のそれぞれは、優先権が主張される上記に具体的に列挙されているかどうかにかかわらず、いずれかの先行出願を含んで参照により本明細書に組み込まれる。いずれかの文書の言及は、そのような文書が先行技術としての資格を有すること、またはあらゆる管轄の当業者の一般知識を構成することの承認ではない。実施例を除き、または明示的に示されている場合を除き、材料の量、反応条件、分子量、炭素原子の数などを指定するこの説明のすべての数値は、「約」という単語によって修正されるものと理解される。本明細書に記載の量、範囲、および比率の上限および下限は、独立して組み合わせることができることを理解されたい。同様に、本明細書の各要素の範囲および量は、他の要素のいずれかの範囲または量とともに使用され得る。
【０１５１】
本明細書で使用される場合、「含む（ｉｎｃｌｕｄｉｎｇ）」、「含有する（ｃｏｎｔａｉｎｉｎｇ）」、または「により特徴付けられる（ｃｈａｒａｃｔｅｒｉｚｅｄ  ｂｙ）」と同義である移行性用語「含む（ｃｏｍｐｒｉｓｉｎｇ）」は、包括的または無制限であり、追加の、列挙されていない要素、または方法ステップを除外しない。しかしながら、本明細書の「含む（ｃｏｍｐｒｉｓｉｎｇ）」の各列挙において、この用語は、代替実施形態として、「から本質的になる（ｃｏｎｓｉｓｔｉｎｇ  ｅｓｓｅｎｔｉａｌｌｙ  ｏｆ）」および「からなる（ｃｏｎｓｉｓｔｉｎｇ  ｏｆ）」という語句も包含することを意図しており、ここで、「からなる（ｃｏｎｓｉｓｔｉｎｇ  ｏｆ）」は、指定されていない任意の要素またはステップを除外し、「から本質的になる（ｃｏｎｓｉｓｔｉｎｇ  ｅｓｓｅｎｔｉａｌｌｙ  ｏｆ）」は、考慮されている組成物または方法の本質的または基本的および新規の特徴に実質的に影響を与えない追加の引用されていない要素またはステップを含めることを可能にする。
【０１５２】
主題の発明を説明する目的である特定の代表的な実施形態および詳細を示してきたが、主題の発明の範囲から逸脱することなく様々な変更および修正を行うことができることは当業者には明らかであろう。これに関して、本明細書の範囲は、以下の特許請求の範囲によってのみ制限されるものとする。
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
電動機を備えた自動車の変速機を潤滑するための潤滑剤組成物であって、
ａ．潤滑粘度の油と、
ｂ．０．２〜２．０重量％の式Ｉの少なくとも１種のホウ酸エステルと、
【化１】
2020531618.tif 000017
（式中、各Ｒは、独立して、Ｃ３〜Ｃ１２アルキルである）、
ｃ．モノマー亜リン酸またはそのエステルと少なくとも２種のアルキレンジオールとの反応生成物を含むホスファイトエステル組成物を含む前記潤滑組成物に１００〜４５０ｐｐｍのリンを送達する量で存在する少なくとも１種のリン含有化合物と、
ｄ．１．８重量％以下の総量で、１００ｐｐｍ未満のホウ素を前記潤滑剤組成物に送達する分散剤であって、ヒドロカルビル置換カルボン酸またはその反応性等価物とアミンとの反応により調製された少なくとも１種のカルボン酸分散剤、高分子量の脂肪族または脂環式ハロゲン化物とアミンとの反応により調製されたアミン分散剤、アルキル基が少なくとも３０個の炭素原子を含有するアルキルフェノールとアルデヒドおよびアミンとの反応により調製されたマンニッヒ分散剤、ならびにヒドロカルビルアシル化剤と多価脂肪族アルコールとの反応により調製されたエステル分散剤を含む、分散剤と、
ｅ．任意に、３００ｐｐｍ以下のカルシウムを前記潤滑組成物に送達する量で存在するカルシウム含有スルホネートもしくはサリチレート洗剤またはそれらの混合物と、を含み、
前記潤滑剤組成物が、４０℃で８ｃＳｔ〜１８ｃＳｔの動粘度を有し、
（ｃ）の前記ホスファイトエステルからのリンと（ｂ）の前記ホウ酸エステルからの前記ホウ素との比が、０．７超である、潤滑剤組成物。
【請求項２】
前記リン含有化合物が、さらにＣ３−８ヒドロカルビルホスファイトを含む、請求項１に記載の潤滑剤組成物。
【請求項３】
（１）ポリオールと、２）約１２〜約２４個の炭素原子を含有する脂肪族カルボン酸とのエステル０．０１〜１．０重量％をさらに含む、請求項１または２に記載の潤滑剤組成物。
【請求項４】
前記エステルが、グリセロールモノオレエートである、請求項１〜３のいずれか一項に記載の潤滑剤組成物。
【請求項５】
（１）アルコールと、２）約４〜約８個の炭素原子を含有する脂肪族カルボン酸とのエステル０．１〜３．０重量％をさらに含む、請求項１〜４のいずれか一項に記載の潤滑剤組成物。
【請求項６】
前記エステルが、Ｃ８−１３アジペートエステルである、請求項１〜５のいずれか一項に記載の潤滑剤組成物。
【請求項７】
０．０１重量％〜０．５重量％のジメルカプトチアジアゾールまたはその誘導体をさらに含む、請求項１〜６のいずれか一項に記載の潤滑剤組成物。
【請求項８】
０．１重量％〜５重量％のポリ（メタ）アクリレートエステルポリマー粘度調整剤をさらに含む、請求項１〜７のいずれか一項に記載の潤滑剤組成物。
【請求項９】
前記ポリ（メタ）アクリレートエステルポリマーが、５，０００〜２５，０００の重量平均分子量を有する、請求項８に記載の潤滑剤組成物。
【請求項１０】
０．０５重量％〜１．０重量％のＣ１２〜Ｃ２４ヒドロカルビルホスファイトをさらに含む、請求項１〜９のいずれか一項に記載の潤滑剤組成物。
【請求項１１】
０．０１重量％〜１．０重量％のＣ１２−２４ホウ酸化エポキシドをさらに含む、請求項１〜１０のいずれか一項に記載の潤滑剤組成物。
【請求項１２】
ヒンダードフェノール、アリールアミン、および硫黄含有酸化防止剤から選択される少なくとも２種の酸化防止剤の混合物０．１重量％〜３．０重量％をさらに含む、請求項１〜１１のいずれか一項に記載の潤滑剤組成物。
【請求項１３】
前記潤滑剤組成物が、１００℃および５００ＶでＡＳＴＭ  Ｄ２６２４によって測定される場合、最大７．０×１０−１０Ｓ／ｃｍの導電率を示す、請求項１〜１のいずれか一項に記載の潤滑剤組成物。
【請求項１４】
変速機を潤滑させる方法であって、請求項１〜１のいずれか一項に記載の組成物を前記自動変速機に供給して、前記変速機を作動させることを含む、方法。
【請求項１５】
前記変速機が、変速クラッチを含まない、請求項１４に記載の方法。
【手続補正２】
【補正対象書類名】明細書
【補正対象項目名】００１５
【補正方法】変更
【補正の内容】
【００１５】
潤滑剤組成物は、潤滑剤組成物を自動変速機に供給し、自動変速機を作動させることにより、自動変速機を潤滑する方法に用いることができる。
本発明の実施形態において、例えば以下の項目が提供される。
（項目１）
電動機を備えた自動車の変速機を潤滑するための潤滑剤組成物であって、
ａ．潤滑粘度の油と、
ｂ．０．２〜２．０重量％の式Ｉの少なくとも１種のホウ酸エステルと、
【化１】
2020531618.tif 000018
（式中、各Ｒは、独立して、Ｃ３〜Ｃ１２アルキルである）、
ｃ．１００〜４５０ｐｐｍのリンを前記潤滑組成物に送達する量で存在する、モノマー亜リン酸またはそのエステルと少なくとも２種のアルキレンジオールとの反応生成物を含むホスファイトエステル組成物を含む少なくとも１種のリン含有化合物と、
ｄ．１．８重量％以下の総量で、１００ｐｐｍ未満のホウ素を前記潤滑剤組成物に送達する分散剤と、
ｅ．３００ｐｐｍ以下のカルシウムを前記潤滑組成物に送達する量で存在するカルシウム含有スルホネートもしくはサリチレート洗剤またはそれらの混合物と、を含み、
前記潤滑剤組成物が、４０℃で８ｃＳｔ〜１８ｃＳｔの動粘度を有し、
（ｃ）の前記ホスファイトエステルからのリンと（ｂ）の前記ホウ酸エステルからの前記ホウ素との比が、０．７超である、潤滑剤組成物。
（項目２）
前記リン含有化合物が、さらにＣ３−８ヒドロカルビルホスファイトを含む、項目１に記載の潤滑剤組成物。
（項目３）
（１）ポリオールと、２）約１２〜約２４個の炭素原子を含有する脂肪族カルボン酸とのエステル０．０１〜１．０重量％をさらに含む、項目１または２に記載の潤滑剤組成物。
（項目４）
前記エステルが、グリセロールモノオレエートである、項目１〜３のいずれか一項に記載の潤滑剤組成物。
（項目５）
（１）アルコールと、２）約４〜約８個の炭素原子を含有する脂肪族カルボン酸とのエステル０．１〜３．０重量％をさらに含む、項目１〜４のいずれか一項に記載の潤滑剤組成物。
（項目６）
前記エステルが、Ｃ８−１３アジペートエステルである、項目１〜５のいずれか一項に記載の潤滑剤組成物。
（項目７）
０．０１重量％〜０．５重量％のジメルカプトチアジアゾールまたはその誘導体をさらに含む、項目１〜６のいずれか一項に記載の潤滑剤組成物。
（項目８）
０．１重量％〜５重量％のポリ（メタ）アクリレートエステルポリマー粘度調整剤をさらに含む、項目１〜７のいずれか一項に記載の潤滑剤組成物。
（項目９）
前記ポリ（メタ）アクリレートエステルポリマーが、５，０００〜２５，０００の重量平均分子量を有する、項目８に記載の潤滑剤組成物。
（項目１０）
０．０５重量％〜１．０重量％のＣ１２〜Ｃ２４ヒドロカルビルホスファイトをさらに含む、項目１〜９のいずれか一項に記載の潤滑剤組成物。
（項目１１）
０．０１重量％〜１．０重量％のＣ１２−２４ホウ酸化エポキシドをさらに含む、項目１〜１０のいずれか一項に記載の潤滑剤組成物。
（項目１２）
ヒンダードフェノール、アリールアミン、および硫黄含有酸化防止剤から選択される少なくとも２種の酸化防止剤の混合物０．１重量％〜３．０重量％をさらに含む、項目１〜１１のいずれか一項に記載の潤滑剤組成物。
（項目１３）
前記潤滑剤組成物が、１００℃および５００ＶでＡＳＴＭ  Ｄ２６２４によって測定される場合、最大７．０×１０−１０Ｓ／ｃｍの導電率を示す、項目１〜１のいずれか一項に記載の潤滑剤組成物。
（項目１４）
変速機を潤滑させる方法であって、項目１〜１のいずれか一項に記載の組成物を前記自動変速機に供給して、前記変速機を作動させることを含む、方法。
（項目１５）
前記変速機が、変速クラッチを含まない、項目１４に記載の方法。
【国際調査報告】
2020531618.tif 000019
2020531618.tif 000020